(57)【要約】【課題】本発明は、水平力をより確実に伝達することができるブロック耐震壁を得ることを目的とする。【解決手段】ブロック耐震壁２０は、正面から見て上面２４及び下面２６の各々の幅方向両端部２４Ｅ，２６Ｅから幅方向中央部２４Ｍ，２６Ｍに向けて内側へそれぞれ傾斜する一対の上側傾斜面２４Ａ，２４Ｂ及び一対の下側傾斜面２６Ａ，２６Ｂを有し、架構１０の構面内に千鳥状に積み上げられ、上下に隣接する上側傾斜面２４Ａと下側傾斜面２６Ｂが重ね合わせられる複数のブロック２２と、ブロック２２の幅方向に沿って形成された横溝部４６に配筋される横筋と、横溝部４６に充填され、ブロック２２に横筋を定着させる充填材と、を備えている。【選択図】図３
2016121443.tif 000002
【特許請求の範囲】
【請求項１】
正面から見て上面及び下面の各々の幅方向両端部から幅方向中央部に向けて内側へそれぞれ傾斜する一対の傾斜面を有し、架構の構面内に千鳥状に積み上げられ、上下に隣接する前記傾斜面同士が重ね合わせられる複数のブロックと、
前記ブロックの幅方向に沿って形成された横溝部または横孔に配筋される横筋と、
前記横溝部または前記横孔に充填され、前記ブロックに前記横筋を定着させる充填材と、
を備えるブロック耐震壁。
【請求項２】
前記架構は、コンクリート柱を有し、
前記横筋の端部は、前記コンクリート柱と非定着とされる、
請求項１に記載のブロック耐震壁。
【請求項３】
前記架構は、コンクリート柱を有し、
前記横筋の端部は、前記コンクリート柱に定着され、または該コンクリート柱に定着された接続部材に接合される、
請求項１に記載のブロック耐震壁。
【発明の詳細な説明】
【技術分野】
【０００１】
本発明は、ブロック耐震壁に関する。
【背景技術】
【０００２】
架構の構面内に、正面視にて長方形のコンクリートブロックを複数積み上げて形成されるブロック耐震壁が知られている（例えば、特許文献１参照）。このブロック耐震壁には、複数の縦筋及び横筋が配筋されている。
【先行技術文献】
【特許文献】
【０００３】
【特許文献１】特開２００９−２４９８６５号公報
【発明の概要】
【発明が解決しようとする課題】
【０００４】
ここで、特許文献１に開示された技術では、地震時にブロック耐震壁に作用する水平力は、横筋の引張力、及び上下のコンクリートブロック間に発生するせん断摩擦力によって伝達される。
【０００５】
しかしながら、上下に隣接するコンクリートブロックが水平方向にずれた（滑った）場合は、地震時における水平力が主として横筋の引張力で伝達されることになるため、水平力を十分に伝達することができない可能性がある。
【０００６】
本発明は、上記の事実を考慮し、水平力をより確実に伝達することができるブロック耐震壁を得ることを目的とする。
【課題を解決するための手段】
【０００７】
請求項１に記載のブロック耐震壁は、正面から見て上面及び下面の各々の幅方向両端部から幅方向中央部に向けて内側へそれぞれ傾斜する一対の傾斜面を有し、架構の構面内に千鳥状に積み上げられ、上下に隣接する前記傾斜面同士が重ね合わせられる複数のブロックと、前記ブロックの幅方向に沿って形成された横溝部または横孔に配筋される横筋と、前記横溝部または前記横孔に充填され、前記ブロックに前記横筋を定着させる充填材と、を備える。
【０００８】
請求項１に係るブロック耐震壁によれば、複数のブロックと、横筋と、充填材とを備える。ブロックは、その上面及び下面に一対の傾斜面をそれぞれ有する。一対の傾斜面は、ブロックを正面から見て、上面及び下面の各々の幅方向両端部から幅方向中央部に向けて内側へそれぞれ傾斜される。このブロックは、架構の構面内に千鳥状に複数積み上げられる。この際、上下に隣接するブロックの傾斜面同士が重ね合せられる。
【０００９】
横筋は、ブロックの幅方向に沿って形成された横溝部または横孔に配筋される。この横溝部または横孔には充填材が充填されており、この充填材によって横筋がブロックに定着される。
【００１０】
以上の構成により、地震時にブロック耐震壁に水平力が作用した場合、上下に隣接するブロック間では、重ね合せられた傾斜面同士の支圧によって水平力が伝達される。一方、幅方向に隣接するブロック間では、横筋の引張力によって水平力が伝達される。
【００１１】
さらに、本発明では、重ね合せられた傾斜面同士がブロックの幅方向（水平方向）に係合することにより、上下に隣接するブロックが水平方向にずれる（滑る）ことが抑制される。したがって、上下に隣接するブロック間において、水平力をより確実に伝達することができる。
【００１２】
このように本発明では、横筋の引張力、及び上下に隣接するブロックの傾斜面同士の支圧によって地震時における水平力を伝達することができるため、ブロック耐震壁の耐震性能が向上する。
【００１３】
請求項２に記載のブロック耐震壁は、請求項１に記載のブロック耐震壁において、前記架構は、コンクリート柱を有し、前記横筋の端部は、前記コンクリート柱と非定着とされる。
【００１４】
請求項２に係るブロック耐震壁によれば、横筋の端部をコンクリート柱と非定着とすることにより、横筋とコンクリート柱との定着作業の手間が低減される。したがって、ブロック耐震壁の施工性が向上する。
【００１５】
請求項３に記載のブロック耐震壁は、請求項１に記載のブロック耐震壁において、前記架構は、コンクリート柱を有し、前記横筋の端部は、前記コンクリート柱に定着され、または該コンクリート柱に定着された接続部材に接合される。
【００１６】
請求項３に係るブロック耐震壁によれば、横筋の端部をコンクリート柱に定着し、または横筋の端部をコンクリート柱に定着された接続部材と接合することにより、地震時にブロック耐震壁に作用した水平力が横筋を介してコンクリート柱に伝達される。換言すると、横筋の端部をコンクリート柱に定着等することにより、横筋の端部の固定度が高められる。これにより、水平力に対する横筋の抵抗力が増加するため、水平力の伝達効率が向上する。したがって、ブロック耐震壁の耐震性能が向上する。
【発明の効果】
【００１７】
以上説明したように、本発明に係るブロック耐震壁によれば、水平力をより確実に伝達することができる。
【図面の簡単な説明】
【００１８】
【図１】本発明の一実施形態に係るブロック耐震壁を示す正面図である。
【図２】図１に示されるブロックを示す斜視図である。
【図３】図１に示されるブロックを示す正面図である。
【図４】（Ａ）は図１に示されるブロック耐震壁の横断面図であり、（Ｂ）は図１に示されるブロック耐震壁の縦断面図である。
【図５】（Ａ）は図１に示される横筋の端部を示す拡大正面図であり、（Ｂ）及び（Ｃ）は横筋の変形例を示す図５（Ａ）に対応する拡大正面図である。
【図６】図１に示されるブロックを千鳥状に積み上げる過程を示す正面図である。
【図７】図１に示されるブロック耐震壁の地震時における水平力の伝達経路を模式的に示す説明図である。
【図８】（Ａ）及び（Ｂ）は、横筋の変形例を示す図５（Ａ）に対応する拡大正面図である。
【図９】図８（Ａ）に示される鋼板の変形例を示す拡大正面図である。
【図１０】（Ａ）及び（Ｂ）は、横筋の変形例を示す図５（Ａ）に対応する拡大正面図である。
【図１１】図１に示されるブロックの変形例を示す斜視図である。
【図１２】（Ａ）は図１１に示されるブロックの縦断面図であり、（Ｂ）は図１１に示されるブロックの平面図である。
【図１３】図１に示されるブロックの変形例を示す斜視図である。
【図１４】（Ａ）は図１３に示されるブロックの縦断面図であり、（Ｂ）は図１３に示されるブロックの側面図である。
【図１５】図１３に示されるブロックを千鳥状に積み上げる過程を示す正面図である。
【発明を実施するための形態】
【００１９】
以下、図面を参照しながら本発明の一実施形態に係るブロック耐震壁について説明する。
【００２０】
図１には、本実施形態に係るブロック耐震壁２０が設けられた架構１０が示されている。架構１０は、一対の柱１２と、一対の柱１２の上下に架設される一対の梁１４とを有している。一対の柱１２及び一対の梁１４は、例えば、鉄筋コンクリート造や鉄骨鉄筋コンクリート造とされる。なお、一対の柱１２は、コンクリート柱の一例である。
【００２１】
ブロック耐震壁２０は、架構１０の構面内に千鳥状に積み上げられる複数のブロック２２を備えている。複数のブロック２２は、例えば、コンクリート等によって形成されている。なお、ブロック耐震壁２０及びブロック２２の高さ方向（矢印Ｈ方向）及び幅方向（矢印Ｗ方向）は、架構１０の高さ方向及び幅方向とそれぞれ一致している。また、ブロック耐震壁２０及びブロック２２の厚み方向（図２において矢印Ｔ方向）は、架構１０の構面の面外方向と一致している。
【００２２】
図２に示されるように、各ブロック２２は、全体として幅方向（矢印Ｗ方向）を長手方向とした直方体状に形成されている。このブロック（蝶々型ブロック）２２は、正面から見て、すなわちブロック２２を厚み方向（矢印Ｔ方向）から見て、蝶々型に形成されている。具体的には、ブロック２２の上面２４には一対の上側傾斜面２４Ａ，２４Ｂが形成されると共に、ブロック２２の下面２６には一対の下側傾斜面２６Ａ，２６Ｂが形成されている。
【００２３】
なお、一対の上側傾斜面２４Ａ，２４Ｂ及び一対の下側傾斜面２６Ａ，２６Ｂは、一対の傾斜面の一例である。また、以下では、特に断りのない限り、ブロック２２を正面から見た場合を基準として、一対の上側傾斜面２４Ａ，２４Ｂ及び一対の下側傾斜面２６Ａ，２６Ｂを説明する。
【００２４】
図３の上部に示されるように、一対の上側傾斜面２４Ａ，２４Ｂは、上面２４の幅方向両端部２４Ｅから幅方向中央部２４Ｍに向けて内側（ブロック２２の中心Ｃ側、下側）へそれぞれ傾斜されている。また、一対の下側傾斜面２６Ａ，２６Ｂは、下面２６の幅方向両端部２６Ｅから幅方向中央部２６Ｍに向けて内側（ブロック２２の中心Ｃ側、上側）へそれぞれ傾斜されている。
【００２５】
換言すると、ブロック２２の上面２４及び下面２６には、ブロック２２の中心Ｃへ凸を成す三角形状の切欠き部２８がそれぞれ形成されている。そして、上側の切欠き部２８の頂部両側の底面が一対の上側傾斜面２４Ａ，２４Ｂにそれぞれ相当し、下側の切欠き部２８の頂部両側の底面が一対の下側傾斜面２６Ａ，２６Ｂにそれぞれ相当する。
【００２６】
また、図３の下部に示されるように、２つのブロック２２が幅方向に並べられた状態で、一方のブロック２２の上側傾斜面２４Ｂと他方のブロック２２の上側傾斜面２４Ａによって上側へ凸を成す三角形状の突出部３０が形成されると共に、一方のブロック２２の下側傾斜面２６Ｂと他方のブロック２２の下側傾斜面２６Ａによって下側へ凸を成す三角形状の突出部３０が形成される。
【００２７】
ここで、複数のブロック２２は、前述したように千鳥状に積み上げられる。つまり、上段のブロック２２は、幅方向に隣接する下段の２つのブロック２２に跨って積み上げられる。この際、上段のブロック２２の下面２６に形成された切欠き部２８に下段の２つのブロック２２によって形成された突出部３０が嵌め込まれる。そして、上段のブロック２２の一対の下側傾斜面２６Ａ，２６Ｂが、下段の２つのブロック２２の上側傾斜面２４Ｂ，２４Ａにそれぞれ重ね合せられる。この切欠き部２８と突出部３０とが水平方向に互いに噛み合うことにより、上下に隣接するブロック２２が地震時に水平方向にずれることが抑制される。
【００２８】
図２に示されるように、ブロック２２の幅方向中央部には、当該ブロック２２を高さ方向（上下方向）に貫通する縦孔４０が形成されている。この縦孔４０には、図４（Ａ）に示されるように、鉄筋やＰＣ線材等で形成される縦筋５０が貫通されると共にモルタル、グラウド等の充填材Ｇが充填される。この充填材Ｇによって、ブロック２２に縦筋５０が定着される。
【００２９】
また、ブロック２２の両側の側面３６には、ブロック２２の高さ方向に延びる縦溝部４２が形成されている。縦溝部４２は、ブロック２２を上側から見て、ブロック２２の幅方向中央部側へ凹む円弧状に形成されている。この縦溝部４２は、幅方向に隣接する他のブロック２２の側面３６に形成された縦溝部４２と組み合わせられて円形状の縦孔４４を形成する。この縦孔４４には、縦筋５０がブロック２２の高さ方向に貫通されると共に充填材Ｇが充填される。この充填材Ｇによって、ブロック２２に縦筋５０が定着される。
【００３０】
さらに、ブロック２２の上面２４には、当該ブロック２２の幅方向に延びる横溝部４６が形成されている。換言すると、横溝部４６は、ブロック２２の幅方向に沿って形成されている。図４（Ｂ）に示されるように、横溝部４６は、ブロック２２を側面３６側から見て、ブロック２２の中心側へ凹む矩形状に形成されている。この横溝部４６には、鉄筋やＰＣ線材等で形成される横筋５２がブロック２２の幅方向に貫通されると共に充填材Ｇが充填される。この充填材Ｇによって、ブロック２２に横筋５２が定着される。
【００３１】
図５（Ａ）に示されるように、横筋５２の端部５２Ａは、柱１２と非定着とされている。具体的には、横筋５２の端部５２Ａは、柱１２の内側の側面１２Ｓとブロック２２との目地部（隙間）５４に配置されており、当該目地部５４に充填された充填材Ｇ内に埋設されている。
【００３２】
次に、ブロック耐震壁の施工方法の一例について説明する。
【００３３】
先ず、図６に示されるように、下側の梁１４上に複数の縦筋５０を立てると共に、これらの縦筋５０の下端部を梁１４に接合する。この際、複数の縦筋５０は、幅方向に並べられる複数のブロック２２の縦孔４０，４４の間隔に応じて、梁１４の材軸方向に間隔を空けて配列する。
【００３４】
なお、例えば、新築工事等では、梁１４の施工時に複数の縦筋５０の下端部を梁１４に埋設して接合しても良い。また、本実施形態では、最下段のブロック２１の下面は、水平面とされている。
【００３５】
次に、架構１０の構面内に、複数のブロック２２を千鳥状に積み上げる。この際、各ブロック２２の縦孔４０に縦筋５０を挿入する。また、幅方向に隣接するブロック２２間に形成される縦孔４４に縦筋５０を挿入する。さらに、上下に隣接するブロック２２において、下側傾斜面２６Ａ，２６Ｂと上側傾斜面２４Ｂ，２４Ａとをそれぞれ重ね合せる。
【００３６】
また、幅方向に隣接するブロック２２の横溝部４６には、所定段数毎に横筋５２を配筋する。この横筋５２は、複数のブロック２２の横溝部４６に亘って配筋される。また、横溝部４６の端部５２Ａは、図５（Ａ）に示されるように、柱１２とブロック２２との目地部５４に配置される。この目地部５４には、充填材Ｇが充填される。なお、横筋５２は、ブロック耐震壁２０の両側の目地部５４に亘るように、複数の横筋５２を重ね継手等で接合して配筋しても良い。
【００３７】
次に、ブロック耐震壁２０の下端部に形成された図示しない充填孔からブロック２２内に充填材Ｇを圧入し、各ブロック２２の縦孔４０，４４及び横溝部４６に充填材Ｇを充填する。この充填材Ｇが硬化することにより、各ブロック２２に縦筋５０及び横筋５２が定着され、ブロック耐震壁２０が構築される。なお、図１に示されるように、最上段のブロック２２と上側の梁１４との隙間にも充填材Ｇが充填される。
【００３８】
次に、本実施形態の作用について説明する。
【００３９】
本実施形態によれば、ブロック耐震壁２０は、架構１０の構面内に千鳥状に積み上げられる複数のブロック２２を備えている。これらのブロック２２は、上下に隣接する下側傾斜面２６Ａ，２６Ｂと上側傾斜面２４Ｂ，２４Ａとがそれぞれ重ね合わされた状態で積み上げられる。
【００４０】
また、各ブロック２２の上面２４には、幅方向に延びる横溝部４６が形成されている。この横溝部４６には、横筋５２が配筋されると共に充填材Ｇが充填される。この充填材Ｇによって、ブロック２２に横筋５２が定着される。
【００４１】
これにより、図７に示されるように、例えば、地震時にブロック耐震壁２０に水平力Ｆが作用した場合、上下に隣接するブロック２２間では、重ね合せられた下側傾斜面２６Ａと上側傾斜面２４Ｂとの支圧Ｑによって水平力が伝達される。一方、幅方向に隣接するブロック２２間では、横筋５２の引張力Ｓによって水平力Ｆが伝達される。なお、横筋５２は、充填材Ｇによってブロック２２に定着されているため、柱１２と非定着であっても水平力に対して引張力Ｓで抵抗する。
【００４２】
さらに、重ね合せられた下側傾斜面２６Ａと上側傾斜面２４Ｂとがブロック２２の幅方向（水平方向）に係合することにより、上下に隣接するブロック２２が幅方向にずれる（滑る）ことが抑制される。したがって、上下に隣接するブロック２２間において、水平力Ｆをより確実に伝達することができる。
【００４３】
このように本実施形態では、横筋５２の引張力Ｓ、及び上下に重ね合わされた下側傾斜面２６Ａ，２６Ｂと上側傾斜面２４Ｂ，２４Ａとの支圧Ｑによって地震時における水平力Ｆを伝達することができる。したがって、ブロック耐震壁２０の耐震性能が向上する。
【００４４】
なお、図７では、左側から右側に向かって水平力Ｆがブロック耐震壁２０に作用する例を示したが、これとは逆に、右側から左側に向かって水平力がブロック耐震壁２０に作用する場合は、上下に隣接するブロック２２間では、図３に示されるように、重ね合せられる下側傾斜面２６Ｂと上側傾斜面２４Ａとの支圧によって水平力が伝達される。
【００４５】
また、本実施形態では、横筋５２の端部５２Ａを柱１２と非定着とすることにより、横筋５２と柱１２との定着作業の手間が低減される。したがって、ブロック耐震壁２０の施工性が向上する。
【００４６】
ところで、本実施形態に係るブロック耐震壁２０は、一般には、補強コンクリートブロック造に分類される。この補強コンクリートブロック造の耐震壁（耐力壁）を新築構造物（新築工事）に適用する場合には、耐震壁に縦筋及び横筋を所定間隔で配筋する必要がある。
【００４７】
これに対して本実施形態では、ブロック耐震壁２０に縦筋５０及び横筋５２を所定間隔で配筋することができる。そのため、本実施形態では、既存構造物だけでなく、新築構造物にもブロック耐震壁２０を適用することができる。したがって、ブロック耐震壁２０の汎用性が向上する。
【００４８】
また、本実施形態に係るブロック耐震壁２０は、架構１０の構面に対して片側から施工可能である。したがって、本実施形態は、架構１０の構面に対して片側にしか施工スペースを確保することができない場合に、特に有効である。
【００４９】
次に、横筋の変形例について説明する。
【００５０】
図５（Ｂ）に示されるように、横筋５２の端部５２Ａに定着板等の定着体６０を設け、充填材Ｇとの付着力を高めても良い。また、図５（Ｃ）に示されるように、横筋５２の端部５２Ａを柱１２の側面１２Ｓに沿ってＬ字状に屈曲させ、充填材Ｇに対する定着長さを長くしても良い。
【００５１】
また、図８（Ａ）に示されるように、柱１２の側面１２Ｓに鋼板６２を接着剤等で接合し、当該鋼板６２に横筋５２の端部５２Ａを溶接等で接合しても良い。また、図８（Ｂ）に示されるように、横筋５２の端部５２Ａに定着体６０を設け、当該定着体６０を鋼板６２に溶接等で接合しても良い。
【００５２】
なお、鋼板６２について補足すると、柱１２の側面１２Ｓには、当該柱１２の略全長に亘って一枚の鋼板６２を接着等で接合しても良いし、例えば図９に示されるように、複数（図９では３枚）の鋼板６２を高さ方向に並べて接合しても良い。
【００５３】
また、上記実施形態及び上記変形例では、横筋５２の端部５２Ａが柱１２と非定着とされる例を示したが、これに限らない。例えば、図１０（Ａ）に示されるように、柱１２の側面１２Ｓに一端部が埋設（定着）されたアンカー筋６４に横筋５２を重ね継手等により接合しても良い。この場合、横筋５２がアンカー筋６４を介して柱１２に定着される。
【００５４】
これにより、地震時にブロック耐震壁２０に作用した水平力が横筋５２を介して柱１２に伝達される。換言すると、柱１２に定着されたアンカー筋６４に横筋５２を接合することにより、横筋５２の端部５２Ａの固定度が高められる。これにより、地震時の水平力に対する横筋５２の抵抗力が増加するため、水平力の伝達効率が向上する。したがって、ブロック耐震壁２０の耐震性能が向上する。
【００５５】
なお、図１０（Ｂ）に示されるように、例えば、アンカー筋６４の端部６４Ａを柱１２の側面１２Ｓに沿ってＬ字状に屈曲させ、柱１２との定着長さを長くしても良い。また、アンカー筋６４は、接続部材の一例である。この接続部材としては、例えば、後施工アンカーや柱１２に埋設される埋め込みナット等を用いても良い。
【００５６】
また、複数ある横筋５２のうち、一部の横筋５２を柱１２と非定着とし、残りの横筋５２を柱１２に定着させることも可能である。さらに、横筋５２の数や配置は、上記したものに限らず、適宜変更可能である。
【００５７】
また、柱がＨ形鋼等の鉄骨造の場合には、Ｈ形鋼のフランジ部またはウェブ部に横筋５２の端部５２Ａを溶接等で接合することにより、柱に横筋５２の端部５２Ａを定着させても良い。なお、鉄骨造の柱と横筋５２の端部５２Ａとを非定着とする場合には、例えば、図５（Ａ）〜図５（Ｃ）のようにすれば良い。また、柱が角形鋼管や丸形鋼管等の鉄骨造であっても同様である。
【００５８】
次に、ブロックの変形例について説明する。
【００５９】
図１１、図１２（Ａ）、及び図１２（Ｂ）に示されるブロック７０では、当該ブロック７０の幅方向に並ぶ２つの縦孔７２が形成されている。２つの縦孔７２は、ブロック７０を高さ方向にそれぞれ貫通している。これらの縦孔７２には、前述した縦筋５０（図６参照）が貫通されると共に充填材Ｇが充填される。このようにブロック７０に対する縦孔７２の数や配置は適宜変更可能である。なお、ブロック７０の基本的構成は、前述したブロック２２（図２参照）と同様である。
【００６０】
次に、図１３、図１４（Ａ）、及び図１４（Ｂ）に示されるブロック８０は、厚み方向（矢印Ｔ方向）に互いに対向する一対の壁部８２と、一対の壁部８２を連結する連結部８８とを有している。
【００６１】
一対の壁部８２は、正面から見て蝶々型に形成されており、その上面８４に一対の上側傾斜面８４Ａ，８４Ｂが形成されると共に、その下面８６に一対の下側傾斜面８６Ａ，８６Ｂが形成されている。なお、一対の壁部８２の上面８４及び下面８６は、ブロック８０の上面及び下面をそれぞれ形成している。また、一対の上側傾斜面８４Ａ，８４Ｂ及び一対の下側傾斜面８６Ａ，８６Ｂは、一対の傾斜面の一例である。
【００６２】
連結部８８は、断面形状が菱形状に形成されており、一対の壁部８２の中央部同士を連結している。この連結部８８の幅方向両側には、高さ方向に延びる縦溝部９０がそれぞれ形成されている。換言すると、ブロック８０の両側に側面９２には、高さ方向に延びる縦溝部９０が形成されている。この縦溝部９０には、図１５に示されるように、縦筋５０が配筋されると共に、充填材（図示省略）が充填される。
【００６３】
また、連結部８８の上下には、幅方向に延びる横溝部９４がそれぞれ形成されている。換言すると、ブロック８０の上面８４及び下面８６には、幅方向に延びる横溝部９４がそれぞれ形成されている。各横溝部９４には、横筋５２が配筋されると共に充填材（図示省略）が充填される。
【００６４】
さらに、図１４（Ａ）に示されるように、連結部８８の下面には、幅方向中央部から幅方向両端部へ向かうに従って上側へそれぞれ傾斜する一対のエア抜き用斜面９６が形成されている。これにより、下側からブロック８０内に図示しない充填材を充填した場合に、矢印Ｋで示されるように、エア抜き用斜面９６に沿って空気が上方へ移動し、ブロック８０内に空気が溜まらないようになっている。したがって、ブロック８０内に充填材を隙間なく充填することができる。
【００６５】
また、ブロック８０の縦溝部９０には、ブロック８０の側面９２側から縦筋５０を挿入することができるため、前述した縦孔４０（図４（Ａ）参照）と比較してブロック８０内に縦筋５０を配筋し易くなる。したがって、ブロック８０の施工性が向上する。
【００６６】
なお、図１５に二点鎖線で示されるように、隣接するブロック８０の連結部８８の間には、ブロック８０の高さ方向（矢印Ｈ方向）に対して傾斜する傾斜筋９８を配筋することも可能である。
【００６７】
次に、上記実施形態では、ブロック２２の上面２４に横溝部４６を形成した例を示したが、これに限らない。横溝部は、ブロック２２の下面２６に形成しても良い。また、ブロック２２に幅方向に延びる横孔を形成し、当該横孔に横筋５２を配筋すると共に充填材を充填することも可能である。
【００６８】
また、上記実施形態では、一対の柱１２に亘ってブロック耐震壁２０を構築した例を示したが、これに限らない。上記実施形態に係るブロック耐震壁は、例えば、柱１２と間柱とに亘って構築しても良い。
【００６９】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００７０】
１０    架構
１２    柱（コンクリート柱）
２０    ブロック耐震壁
２２    ブロック
２４    上面
２４Ａ  上側傾斜面（傾斜面）
２４Ｂ  上側傾斜面（傾斜面）
２４Ｅ  幅方向両端部
２４Ｍ  幅方向中央部
２６    下面
２６Ａ  下側傾斜面（傾斜面）
２６Ｂ  下側傾斜面（傾斜面）
２６Ｅ  幅方向両端部
２６Ｍ  幅方向中央部
４６    横溝部
５２    横筋
５２Ａ  端部（横筋の端部）
６４    アンカー筋（接続部材）
７０    ブロック
８０    ブロック
８４    上面
８４Ａ  上側傾斜面（傾斜面）
８４Ｂ  上側傾斜面（傾斜面）
８６    下面
８６Ａ  下側傾斜面（傾斜面）
８６Ｂ  下側傾斜面（傾斜面）
９４    横溝部
Ｇ      充填材
【図１】
2016121443.tif 000003
【図２】
2016121443.tif 000004
【図３】
2016121443.tif 000005
【図４】
2016121443.tif 000006
【図５】
2016121443.tif 000007
【図６】
2016121443.tif 000008
【図７】
2016121443.tif 000009
【図８】
2016121443.tif 000010
【図９】
2016121443.tif 000011
【図１０】
2016121443.tif 000012
【図１１】
2016121443.tif 000013
【図１２】
2016121443.tif 000014
【図１３】
2016121443.tif 000015
【図１４】
2016121443.tif 000016
【図１５】
2016121443.tif 000017